(57)【要約】【課題】汚れが十分に落ちていない筒状セラミックフィルターをケーシングから取り出し、例えば適温の湯、洗浄ブラシ等の洗浄手段を用いて油等の付着物を除去し、しかる後に、綺麗になった筒状セラミックフィルターをケーシング内に戻すこと。【解決手段】ケーシングと、このケーシングに原水を受け入れる原水流入空間を形成するように組み込まれる筒状セラミックフィルターと、この筒状セラミックフィルターの内部に嵌挿されると共に、該筒状セラミックフィルターをその外壁から前記内部へと透過した濾過水を受け入れるパイプ状芯部材とを備える濾過装置であって、ケーシングは、一端部に底壁を有すると共に、他端部が開口する筒状のケース本体と、このケース本体にシール部材を介して一体的に固定された蓋体とからなり、蓋体をケース本体から外すことにより、パイプ状芯部材及び筒状セラミックフィルターを該ケース本体から取り外すことができる濾過装置。【選択図】図２
2020146620.tif 000002
【特許請求の範囲】
【請求項１】
ケーシングと、このケーシングに原水を受け入れる原水流入空間を形成するように組み込まれる筒状セラミックフィルターと、この筒状セラミックフィルターの内部に嵌挿されると共に、該筒状セラミックフィルターをその外壁から前記内部へと透過した濾過水を受け入れるパイプ状芯部材とを備える濾過装置であって、
前記ケーシングは、一端部に底壁を有すると共に、他端部が開口する筒状のケース本体と、このケース本体にシール部材を介して一体的に固定された蓋体とからなり、前記蓋体を前記ケース本体から外すか又は開くかのいずれかにより、前記パイプ状芯部材及び前記筒状セラミックフィルターを該ケース本体から取り外すことができる濾過装置。
【請求項２】
請求項１の濾過装置に於いて、前記蓋体から突出する前記パイプ状芯部材の突出端部は、少なくとも濾過水送出ラインが接続する継手に対して取り外し可能に接続することを特徴とする濾過装置。
【請求項３】
請求項１の濾過装置に於いて、パイプ状芯部材の下端部は、筒状のケース本体の底壁部に支持され、一方、このパイプ状芯部材の上端部寄りの部位は、蓋体の上壁部に支持されていることを特徴とする濾過装置。
【請求項４】
請求項１の濾過装置に於いて、筒状セラミックフィルターの洗浄時、パイプ状芯部材の突出端部に接続する洗浄水導入ラインから常圧よりも高圧の洗浄水を該パイプ状芯部材へと導入し、該パイプ状芯部材から前記原水流入空間の方向へと前記高圧の洗浄水を透過させることにより、筒状セラミックフィルターの外壁に付着している付着物を除去することを特徴とする濾過装置。
【請求項５】
請求項１の濾過装置に於いて、ケーシングに原水導入ラインと、洗浄時に前記筒状セラミックフィルターの外周壁から落下した付着物を排出する排出ラインがそれぞれ接続され、一方、前記蓋体から突出する前記パイプ状芯部材の突出端部には継手を介して濾過水送水ラインと、前記筒状セラミックフィルター用の洗浄水を受け入れる洗浄水導入ラインがそれぞれ接続していることを特徴とする濾過装置。
【請求項６】
請求項１の濾過装置に於いて、濾過措置は、複数の走行車輪を有する架台の上面に支持部材を介して設置され、該架台には、少なくとも原水又は洗浄水のいずれかを圧送するための駆動部と、該駆動部の駆動を制御する制御部とが設けられ、前記制御部は、さらに、前記濾過装置の濾過処理時及び筒状セラミックフィルターの洗浄時に複数の三方切換え弁の流路の開閉方向を制御することを特徴とする走行型濾過装置。
【請求項７】
請求項５の濾過装置に於いて、前記支持部材には、筒状セラミックフィルターを収容する複数のケーシングが並設されていることを特徴とする走行型濾過装置。
【請求項８】
請求項５の濾過装置に於いて、駆動部の駆動ポンプに継手が設けられ、この継手に対して原水用ホース又は洗浄用ホースを選択的に取付けることにより、原水と洗浄水の流体入口を共用したことを特徴とする走行型濾過装置。
【発明の詳細な説明】
【技術分野】
【０００１】
本発明は海水、湖水、井戸水等の原水を濾過する濾過装置に関し、特に筒状セラミックフィルターを含む濾過装置に関する。
【背景技術】
【０００２】
特許文献１は、濾過装置の筒状セラミックフィルターの洗浄方法に関するものである。この特許文献１に記載されている従来の実施形態（第３図）及び新規提案の各実施形態（第１図及び第２図）のいずれも、濾過処理時、無機物や有機物を含む原水を筒状セラミックフィルターに透過させる場合に於いて、筒状セラミックフィルターの内部（内周壁）から外部（外周壁）に、いわゆるクロスフロー方式で前記原水を透過させることから、前記筒状セラミックフィルターの内部（内周壁）に固形物が徐々に付着する。その結果、目詰りによる透過抵抗が増え、濾過性能が低下する。そこで、前記筒状セラミックフィルターを洗浄するために、外部から開閉弁を介して洗浄水を容器内に圧送し、常圧よりも高圧の前記洗浄水を筒状セラミックフィルターの外部（外周壁）からその内部（内周壁）に向かって透過させることにより、前記付着固形物を除去している。
【０００３】
しかしながら、前記付着固形物が油等を含んでいる場合には、完全に付着固形物を除去することができないので、前記容器の外周壁に加熱ヒータを巻き付け、この加熱ヒータで原水流入空間に流れ込んだ前記洗浄水の温度を上げるという構成を採用している。
【０００４】
上記構成は、加熱ヒータの加熱により洗浄水を温水化し、強固に付着した油等を取り除く点で優れているものの、洗浄水の温度如何によっては十分に油等を取り除くことができない、濾過装置が複雑化、大型化するという問題点がある。
【０００５】
特許文献２も、濾過装置の筒状セラミックフィルターの洗浄装置に関するものである。この特許文献２の濾過装置の課題は、「セラミックフィルターをケーシングから取り出すことなく、セラミックフィルターの壁面を洗浄できる濾過装置を提供すること」であり、その解決手段として、ケーシング２の内部空間９に円筒状のセラミックフィルター３と、円筒状の洗浄部材１６が収容し、さらに、洗浄部材１６の筒状保持体１０には、内側に向かって洗浄ブラシ１３が植設されている。そして、前記ケーシング２の上面から突設する棒状体１９を下方に押圧すると、押圧体１２を介して前記洗浄部材１６が下方に移動し、一方、押圧を止めると、弦巻ばね１１の付勢力によって、洗浄部材１６が上方に押し戻される。その結果、洗浄ブラシ１３がケーシング２の軸方向に沿って往復運動するので、壁面３Ａに付着した付着物が拭い取られる（符号は特許文献２のもの）。
【０００６】
特許文献２は、濾過処理時には、原水に含まれている固形物を筒状セラミックフィルターの外部（外周壁）で捕捉するように、この外部（外周壁）からその内部（内周壁）へと原水を透過させ、一方、筒状セラミックフィルターの洗浄処理時には、濾過処理時とは逆の方向に洗浄水を透過させ、前記外部（外周壁）に付着している固形物を除去しようとする点では、本発明は技術的原理が同じである。
【０００７】
しかしながら、特許文献２の濾過装置は、外部（外周壁）に強固に付着した固形物及び油等を取り除く場合には、筒状セラミックフィルターに外嵌合する洗浄ブラシを含む洗浄部材で該筒状セラミックフィルターの外部（外周壁）を擦るので、特許文献１と同様に、十分に油等を取り除くことができない、構成する部品点数が多くなり、濾過装置が複雑化、大型化するという問題点がある。
【先行技術文献】
【特許文献】
【０００８】
【特許文献１】特開平２−２２７１０４号公報
【特許文献２】特開２００１−４６８１３号公報
【発明の概要】
【発明が解決しようとする課題】
【０００９】
本発明の主たる課題は、特許文献１及び特許文献２の問題点に鑑み、筒状セラミックフィルターの洗浄処理時、容器から筒状セラミックフィルターを簡単に取り出せることである。その結果、強固に付着した油等を完全に取り除くことができることを目的とする。またケーシングの水密性を図ることである。次に、二次的な課題として、濾過装置を小型化することができる、濾過装置を人力により所望する場所へと自由に移動させかつ設置することができる、構成部材の結合と分解が容易である、筒状セラミックフィルターを、自動的に洗浄をすることができる等である。
【課題を解決するための手段】
【００１０】
本発明の濾過装置は、ケーシングと、このケーシングに原水を受け入れる原水流入空間を形成するように組み込まれる筒状セラミックフィルターと、この筒状セラミックフィルターの内部に嵌挿されると共に、該筒状セラミックフィルターをその外壁から前記内部へと透過した濾過水を受け入れるパイプ状芯部材とを備える濾過装置であって、前記ケーシングは、一端部に底壁を有すると共に、他端部が開口する筒状のケース本体と、このケース本体にシール部材を介して一体的に固定された蓋体とからなり、前記蓋体を前記ケース本体から外すか又は開くかのいずれかにより、前記パイプ状芯部材及び前記筒状セラミックフィルターを該ケース本体から取り外すことができることを特徴とする。このように構成することにより、筒状セラミックフィルターの洗浄処理時、容器から筒状セラミックフィルターを簡単に取り出すことができ、筒状セラミックフィルターに強固に付着した油等を完全に取り除くことができる。
【００１１】
上記構成に於いて、前記蓋体から突出する前記パイプ状芯部材の突出端部は、少なくとも濾過水送出ラインが接続する継手に対して取り外し可能に接続することを特徴とする。また、パイプ状芯部材の下端部は、筒状のケース本体の底壁部に支持され、一方、このパイプ状芯部材の上端部寄りの部位は、蓋体の上壁部に支持されていることを特徴とする。このように構成すると、筒状セラミックフィルターが揺動しないように安定状態に保持することができると共に、パイプ状芯部材を介して筒状セラミックフィルターをケース本体から引き抜くことができる。
【００１２】
また、筒状セラミックフィルターの洗浄時、パイプ状芯部材の突出端部に接続する洗浄水導入ラインから常圧よりも高圧の洗浄水を該パイプ状芯部材へと導入し、該パイプ状芯部材から前記原水流入空間の方向へと前記高圧の洗浄水を透過させることにより、筒状セラミックフィルターの外壁に付着している付着物を除去することを特徴とする。この原理を採用すると、筒状セラミックフィルターの外壁に付着している固形物を効率的に落下させることができる。
【００１３】
また、ケーシングに原水導入ラインと、洗浄時に前記筒状セラミックフィルターの外周壁から落下した付着物を排出する排出ラインがそれぞれ接続され、一方、前記蓋体から突出する前記パイプ状芯部材の突出端部には継手を介して濾過水送水ラインと、前記筒状セラミックフィルター用の洗浄水を受け入れる洗浄水導入ラインがそれぞれ接続している。このように構成すると、濾過水（生成水）を、例えば飲料水製造システムの一部に連結することができる。
【００１４】
また濾過措置は、複数の走行車輪を有する架台の上面に支持部材を介して設置され、該架台には、少なくとも原水又は洗浄水のいずれかを圧送するための駆動部と、該駆動部の駆動を制御する制御部とが設けられ、前記制御部は、さらに、前記濾過装置の濾過処理時及び筒状セラミックフィルターの洗浄時に複数の三方切換え弁の流路の開閉方向を制御することを特徴とする。このように構成すると、本発明の二次的な課題（濾過装置の移動及び設置の容易性、装置の合理性、自動洗浄化）を実現することができる。
【００１５】
さらに、支持部材には、筒状セラミックフィルターを収容する複数のケーシングが並設されていることを特徴とする。このように構成すると、濾過水の増大化を図ることができる。加えて、駆動部の駆動ポンプに継手が設けられ、この継手に対して原水用ホース又は洗浄用ホースを選択的に取付けることにより、原水と洗浄水の流体入口を共用したことを特徴とする。このように構成すると、濾過水ラインと洗浄ラインの一部を共用化することができる。
【発明の効果】
【００１６】
本発明は、汚れが十分に落ちていない筒状セラミックフィルターをケーシングから取り出し、例えば適温の湯、洗浄ブラシ等の洗浄手段を用いて油等の付着物を完全に除去し、しかる後に、綺麗になった筒状セラミックフィルターをケーシング内に戻すことができる。またケーシングは、一端部に底壁を有すると共に、他端部が開口する筒状のケース本体と、このケース本体にシール部材を介して一体的に固定された蓋体とからなるので、ケーシングの水密性を図ることができる。
【図面の簡単な説明】
【００１７】
図１乃至図８は本発明の第１実施形態を示す各説明図。図９至図１４は本発明の第２実施形態を示す各説明図。図１５至図１８は本発明の第３実施形態を示す各説明図。
【図１】濾過水送出ライン、排出ライン等の弁機構（開閉弁）を省略した主たる部材の外観構成を示す斜視図。
【図２】濾過水送出ライン、排出ライン等の弁機構（開閉弁）を含む概略断面説明図。
【図３】ケーシングの概略断面説明図（ケース本体と蓋体を分離し、パッキンの含む）。
【図４】パイプ状芯部材と一体の筒状セラミックフィルターの概略断面説明図。
【図５】要部（筒状セラミックフィルター、パイプ状芯部材）の分解斜視図。
【図６】継手を含む濾過水送水ラインと洗浄水導入ラインの概略説明図。
【図７】濾過処理時の説明図。
【図８】筒状セラミックフィルターの洗浄時の説明図。
【図９】第２実施形態の斜視図（架台上に駆動部、制御部、電源部、濾過装置を設置した状態）。
【図１０】正面図。
【図１１】左側面図。
【図１２】平面図。
【図１３】濾過処理時の説明図。
【図１４】筒状セラミックフィルターの洗浄時の説明図。
【図１５】第３実施形態の図１と同様の斜視図。
【図１６】図２と同様の概略断面説明図。
【図１７】蓋体を開いた状態の説明図。
【図１８】筒状セラミックフィルターを上方に引き上げた所の説明図。
【発明を実施するための形態】
【００１８】
図１乃至図８は、本発明の第１実施形態の濾過処理及び洗浄処理が可能な濾過装置（以下、ここでは単に「濾過装置Ｘ」という。）である。まず、図１は濾過水送出ライン、排出ライン等の弁機構（開閉弁）を省略した主たる部材の外観構成を示す斜視図、次に図２は濾過水送出ライン、排出ライン等の弁機構（開閉弁）を含む概略断面説明図である。特に、図２は本発明の主要部を示す。
【００１９】
図１に於いて、１は縦長筒状の金属製ケーシングで、このケーシング１は、一端部に底壁を有すると共に、他端部が開口する筒状のケース本体２と、このケース本体にパッキンを介して一体的に固定されたハット型形状の蓋体３とからなり、前記ケース本体２と蓋体３は、複数個の固着具４を介して一体的に結合している。このケーシング１の内部にパイプ状芯部材５を介して縦長の筒状セラミックフィルター６が収納されている。
【００２０】
図１では、前記パイプ状芯部材５の小径上端部（ここでは、「突出端部」ともいう）５ｃが前記蓋体３の中心孔から所定量突出している。また、ケース本体２の外周壁の中央部或いは中央部寄りの部位には、半径外方向に海水、湖水、井戸水等の原水ａを入れるための第１突起部７が設けられていると共に、この第１突起部７よりも下方の部位の反対側（外周壁の下端部）には、前記原水に含まれていた付着物（不純物）ｄを外部に排出するための第２突起部８が設けられている。また前記パイプ状芯部材５の突出端部５ａからは、後述するように濾過水（生成水）が出る。一方、実施形態では、前記パイプ状芯部材５の突出端部５ａは自在継手を介して洗浄水を受け入れる。
【００２１】
そして、前記複数個の固着具４を外し、前記ハット型形状の蓋体３を持ち上げると、ケース本体２の上端部が開口し、該ケース本体２の内部から、前記パイプ状芯部材５を介して筒状セラミックフィルター６を引き上げることができる。
【００２２】
実施形態では、望ましくは、組み立ての容易性、洗浄の容易性等を勘案し、ケーシング１、パイプ状芯部材５、筒状セラミックフィルター６等の各構成部材を分離可能に結合している。したがって、ケーシング１は、一端部に底壁２ｂを有すると共に他端部が開口する筒状のケース本体２と、このケース本体にシール部材（パッキン）を介して一体的に固定された蓋体３とからなり、蓋体３を前記ケース本体２から外すことにより、パイプ状芯部材５と共に又は個別的に筒状セラミックフィルター６をケース本体２から取り外すことができる。
【００２３】
ところで、濾過装置Ｘには、現在色々な濾過手段が用いられているが、実施形態では、厚さが、例えば半径方向の厚さが２ｃｍ以上で、上下端部が開口する長筒状の剛性・弾性体が採用されている。筒状セラミックフィルター６は、例えばアルミナ、シリカ等の無機化合物で構成され、強度性、耐熱性、耐放射性、剛性、弾性等に優れ、外壁面から内部空間に向かって原水ａが透過する際に、この原水に含まれている泥、油、固形物等の不純物（ここでは「付着物」という）を捕捉する機能がある。そのために、濾過装置Ｘが濾過仕事をするにつれてその濾過機能が低下する。したがって、望ましくは自動洗浄のみではなく、手洗いも含めて筒状セラミックフィルター６を綺麗に洗浄する必要がある。
【００２４】
本発明は、濾過手段として、前述した諸機能を有する筒状セラミックフィルター６を採用している。本発明は、ケーシング１と、このケーシングに原水を受け入れる原水流入空間Ｓを形成するように組み込まれる筒状セラミックフィルター６と、この筒状セラミックフィルターの内部に嵌挿されると共に、該筒状セラミックフィルター６をその外壁から前記内部へと透過した濾過水を受け入れるパイプ状芯部材５とを備え、前記筒状セラミックフィルター６を綺麗に洗浄する必要がある場合、特に、パイプ状芯部材５側（内部）から外部への逆流（例えば自動洗浄処理）によっても、筒状セラミックフィルター６の外壁に依然として油等の付着物が強く付着しているような場合に、汚れが十分に落ちていない筒状セラミックフィルター６をケーシング１から取り出し、例えば適温の湯、洗浄ブラシ等の洗浄手段を用い、例えば手洗いにより油等の付着物を除去し、しかる後に、綺麗になった筒状セラミックフィルター６をケーシング１内に戻すことができるように各部材を分離可能に組み合わせている。
【００２５】
そこで、図２乃至図６を参照に各部材を詳細に説明する。まず、図３はシール部材（パッキン）を含むケース本体２と蓋体３を分離したケーシング１の概略断面説明図である。ケース本体２は、寸胴状の胴部２ａと、この胴部２ａの下端部に連設する円形の底部２ｂと、胴部２ａの上端部に周設された本体側の円形のフランジ部２ｃとを有し、前述したように前記胴部２ａの中央部（中央部寄りの部位も含む）には第１突起部７が設けられていると共に、その下端部には第２突起部８が設けられている。そして、前記底部２ｂの中央部には、円筒状の嵌合部９が外方向に突設され、該嵌合部９の内周壁には栓１０が螺着するメネジ９ａが形成されている。
【００２６】
ところで、実施形態では、パイプ状芯部材５の下端部が開口しているので、底部２ｂの開口を閉じる栓１０が必要であるが、前記パイプ状芯部材５の下端部が有底である場合には、前記栓１０は不要である。また栓１０は、例えば図示しないコルク部材を含まれる。栓１０として円錐台形状のコルク部材を用いる場合には、前記嵌合部９の内周壁にメネジ９ａを形成する必要はなく、該コルク部材を容易に抜けないように適宜に嵌め込むと良い。
【００２７】
一方、前記本体側のフランジ部２ｃに固着具４を介して取り外し可能に結合する断面ハット型形状の蓋体３は、短筒状の胴部３ａと、この胴部３ａの下端部に周設され、かつ、前記フランジ部２ｃと接合する蓋体側の円形のフランジ部３ｂと、前記胴部３ａの上端部に連設する上壁部３ｃとを有し、前記上壁部３ｃには短筒状の嵌合部１１が外方向に突設されている。
【００２８】
実施形態では、蓋体３側の短筒状嵌合部１１とケース本体２側の円筒状嵌合部９の両方で、パイプ状芯部材５の小径部分を支持している（図２参照）が、パイプ状芯部材５を支持する上下又は一方の嵌合部１１、９は、特に図示しないが、筒状セラミックフィルター６を構成する上下の対向支持板の各一側面にそれぞれ短筒状に突設しても良い。
【００２９】
したがって、パイプ状芯部材５の下端部は、筒状のケース本体２の底壁部２ｂの円筒状嵌合部９に直接又は筒状セラミックフィルター６の下方環状支持板６ａの円筒状嵌合部を介して間接的に支持され、一方、パイプ状芯部材５の上端部寄りの部位は、蓋体３の上壁部３ｃの嵌合部１１に直接又は筒状セラミックフィルター６の上方環状支持板６ｂの円筒状嵌合部を介して間接的に支持される。
【００３０】
次に、図２で示すように、筒状セラミックフィルター６は、ケーシング１に原水を受け入れる原水流入空間Ｓを形成するように組み込まれている。前記原水流入空間Ｓには原水が駆動部を構成する圧送ポンプによって流れ込むので、水密性を持たせるために、少なくとも、第１シール部材１２を本体側のフランジ部２ｃと蓋体側のフランジ部３ｂの間に密に介在させている。そして、好ましくは、ケース本体２の底部２ｂの内面と筒状セラミックフィルター６の下方の環状支持板６ａとの間に第２シール部材１３を密に介在させている。この第２シール部材１３はパイプ状芯部材５の小径下端部５ｂの外周面に密に嵌合している。また、蓋体３の上壁部３ｃの内面と筒状セラミックフィルター６の上方の環状支持板６ｂとの間に第３シール部材１４を密に介在させている。この第３シール部材１４はパイプ状芯部材５の小径上端部５ｃ側の外周面に密に嵌合している。このように複数のシール部材を備えることによって、気密性及び水密性を十分に高めることができる。
【００３１】
実施形態の筒状セラミックフィルター６は、組み立て及び分解の容易性、洗浄の完璧性等に配慮して、前述した下方の環状支持板６ａと、上方の環状支持板６ｂと、これら上下の環状支持板にサンドイッチ状に挟持され、かつ、パイプ状芯部材５の大径部５ａに外嵌合する長筒寸胴状のフィルター本体６ｃとから構成されている。
【００３２】
次に、図４はパイプ状芯部材５と一体の筒状セラミックフィルター６の概略断面説明図、図５は筒状セラミックフィルター６及びパイプ状芯部材５の分解斜視図である。図２、図４、図５等から理解することができるように、実施形態では、パイプ状芯部材５は筒状セラミックフィルター６、第２シール部材１３及び第３シール部材１４を貫通し、かつ、ケーシング１の中央部に設けられた下方の嵌合部９と上方の嵌合部１１に支持されている。パイプ状芯部材５の大径部５ａの壁には、多数の小孔１５が形成されており、濾過処理時及び洗浄時にはこれらの小孔１５を流体が通過する。なお、前記小孔１５の孔径、数、形状等は、発明の課題を逸脱しない範囲で適宜に設定される。
【００３３】
次に、図６は継手を含む濾過水送水ラインＬ２と洗浄水導入ラインＬ３の概略説明図である。各ラインの接続態様に関して、例えば図２で示すようにケーシング１には、第１開閉弁Ｖ１を有する原水導入ラインＬ１と、洗浄時に筒状セラミックフィルター６の外周壁から落下した付着物ｄを排出する第４開閉弁Ｖ４を有する排出ラインＬ４がそれぞれ接続され、一方、蓋体３から突出するパイプ状芯部材５の突出端部には、継手１６を介して濾過水ｂを出す第２開閉弁Ｖ２を有する濾過水送水ラインＬ２と、筒状セラミックフィルター６用の洗浄水ｃを受け入れる第３開閉弁Ｖ３を有する洗浄水導入ラインＬ３がそれぞれ接続する。
【００３４】
実施形態では、前記第１乃至第４の開閉弁Ｖ１〜Ｖ４は、図示しない制御部によって開閉が自動的に制御される電磁弁であり、実施形態如何によっては三方切換え弁も含まれる。また蓋体３から突出するパイプ状芯部材５の突出端部は、濾過水送出ラインＬ２が接続する継手１６に取り外し可能に接続する。好ましくは、前記継手１６は「ワンタッチ継手」が採用されているので、パイプ状芯部材５の突出端部は継手１６に着脱自在に接続する。
【００３５】
なお、ワンタッチ継手１６は、止水部材の機能を維持できるもので、例えば三つ開口を有する継手本体１６ａと、この継手本体１６ａの下方の開口に一体的に接続し、かつ、内周面に複数本の弾性変位可能な図示しない止爪を有する筒状係止部材１６ｂとを有し、前記筒状係止部材１６ｂにパイプ状芯部材５の突出端部を差し込むと、その外周面に周設した鍔状係合部１８に前記止爪が係着し、これによりパイプ状芯部材５がワンタッチ継手１６から抜け止めされた状態になるものが適宜に採用されている。
【００３６】
次に、図７は濾過処理時の説明図で、図７の矢印Ａの方向は原水ａが濾過水ｂになる流れを示す。一方、図８は筒状セラミックフィルター６の洗浄時の説明図で、図８の矢印Ｂの方向は洗浄水ｃが付着物ｄを除去する流れを示す。図２と共に図７と図８を対比すると、流体の流れを理解することができる。
【００３７】
原水ａの濾過処理時、パイプ状芯部材５の内部を基準にすると、原水ａは筒状セラミックフィルターの外部からパイプ状芯部材５の内部へと透過し、一方洗浄処理時、パイプ状芯部材５の外周壁に付着した付着物を自動的に取り去る時には、洗浄水ｃはパイプ状芯部材５の内部から筒状セラミックフィルターの外部（原水流入空間Ｓ）へと逆流する。後者に関して付言すると、筒状セラミックフィルター６の洗浄時、パイプ状芯部材５の突出端部に接続する洗浄水導入ラインＬ３から常圧よりも高圧の洗浄水ｃを該パイプ状芯部材５へと導入し、該パイプ状芯部材５から原水流入空間Ｓの方向へと前記高圧の洗浄水ｃを透過させることにより、筒状セラミックフィルター６のフィルター本体６ｃの外壁に付着している付着物ｄを吐き出すように除去する。吐き出された付着物ｄは、開放状態になっている第４開閉弁Ｖ４を有する排出ラインＬ４へと流れる。
【００３８】
なお、弁機構の制御に関して、簡単に記述すると、濾過処理時には、開閉弁Ｖ３とＶ４が閉止する一方、開閉弁Ｖ１とＶ２が開放する。一方、洗浄処理時には、前記開閉弁Ｖ１とＶ２が閉止する一方、前記開閉弁Ｖ３とＶ４が開放する。そして、前述したように、特に、パイプ状芯部材５側（内部）から外部への逆流（例えば自動洗浄処理）によっても、筒状セラミックフィルター６の外壁に依然として油等の付着物が強く付着しているような場合に、汚れが十分に落ちていない筒状セラミックフィルター６をケーシング１から取り出し、例えば適温の湯、洗浄ブラシ等の洗浄手段を用い、手洗いにより油等の付着物を除去し、しかる後に、綺麗になった筒状セラミックフィルター６をケーシング１内に戻す。なお、前記開閉弁Ｖ１〜Ｖ４の数は、次に説明する第２実施形態のように三方切換え弁を採用すると、その数を減らすことができる。
【実施例】
【００３９】
この欄では、第２実施形態及び第３実施形態について説明する。この第２実施形態は第１実施形態の主要部（ケース本体２と蓋体３が分離可能である点、パイプ状芯部材５と共に筒状セラミックフィルター６を前記ケース本体２から取り出し可能である点、前記パイプ状芯部材５の突出端部は濾過水送水ライン側の継手１６に取り外し可能に接続する点）を含み、新たな課題（例えば濾過措置Ｘ１を所望する場所へと自由自在に移動可能であること、複数のケーシング１Ａに配管を合理的に接続すること等）と共に他の構成要件を加味した利用発明の一例である。しかして、この第２実施形態が前記第１実施形態と主に異なる点は、次の通りである。
【００４０】
（ａ）まず、走行型の濾過措置Ｘ１は、複数の走行車輪２１を有する架台２２を備え、この架台２２の上面に直接又はフレーム構造の支持部材２３を介して駆動部３１、制御部３２、充電可能な電源部３３を搭載した点である。前記駆動部３１は、図９で示すように、下面に合計４個のキャスター２１を有する平坦状の架台２２の上面の一端部に固定的に設置され、前面に継手３４を有する駆動ポンプ３１ａと、この駆動ポンプに連結された電動モータ３１ｂとを有している。また前記制御部３２は、例えば図１２で示すように支持部材２３の背面側の一側面に固定された制御箱３２ａ、この制御箱の外壁又は制御箱の内部のいずれかに設けられた複数のスイッチを有する操作盤、制御箱３２ａの内部に設けられたコンピュータを構成する信号処理手段・記憶手段・計時手段・判定手段、その他圧力計等で構成されている。さらに、少なくとも前記制御箱３２ａ又は前記架台２２の上面のいずれかに、充電可能な二次電池３３が設置されている。
【００４１】
（ｂ）次に、濾過処理及び洗浄処理の量の増大化を図るために、例えば合計２個の縦型ケーシング１Ａ、１Ａが、前記フレーム構造の支持部材２３の前面側に左右に併設された状態で設けられている。縦型ケーシング１Ａは、もちろん、支持部材２３の他側面及び一側面に設置することが可能であれば、３本乃至６本を設置しても良い。
【００４２】
（ｃ）次に、濾過処理時及び洗浄処理時に、前述した駆動部３１の継手３４に対して、図示しない原水用ホース又は洗浄用ホースを選択的に取付け、流体入口を共用した点である。付言すると、濾過処理時には、図１３で示すように、原水導入ラインＬ１に原水ａを、図示しない原水用ホースを利用して垂直配管３５に圧送し、一方、筒状セラミックフィルター６の洗浄時には、図１４で示すように、洗浄水導入ラインＬ３に洗浄水ｃを、図示しない洗浄水用ホースを利用して垂直配管３５に圧送するようにしている。
【００４３】
（ｄ）次に、前記垂直配管３５の中途部に第１三方切換え弁ＶＩを設けると共に、この垂直配管３５の上端部に第２三方切換え弁Ｖ２を設けたことである。そして、２の縦型ケーシング１Ａ、１Ａの下端部にそれぞれ連結する水平排水管３６の先端部に第３開閉弁Ｖ３が設けられている。前記第１三方切換え弁ＶＩ及び第２三方切換え弁Ｖ２を設けたことにより、前記垂直配管３５の一部を共用することができる。
【００４４】
（ｅ）さらに、濾過処理時に使用される濾過ルート配管３７の一端部を前記第１三方切換え弁ＶＩに連結すると共に、水平方向の二股状の他端部を前記縦型ケーシング１Ａ、１Ａの上端部寄りの部位に連結したことである。
【００４５】
（ｆ）最後に、洗浄処理時に使用される洗浄ルート配管３８の一端部を前記第２三方切換え弁Ｖ２に連結すると共に、下向き方向の二股状の他端部を前記縦型ケーシング１Ａ、１Ａ側の一対の継手１６、１６にそれぞれ連結したことである。
【００４６】
上記構成に於いて、図１３は濾過処理時の説明図（矢印Ａの方向は原水が濾過水になる流れを示す）である。図１３の流れについて簡単に説明すると、濾過時、第１三方切換え弁ＶＩは、垂直配管３５の下端部側から圧送されてくる原水ａが濾過ルート配管３７に向かうように切り替わる（矢印で示す左側）。また、第２三方切換え弁Ｖ２は生成された濾過水ｂが第２三方切換え弁Ｖ２を含む濾過水送水ラインＬ２を流れるように切り替わる。この時、排出管３６側の開閉弁Ｖ３は閉止状態となる。なお、前記開閉弁Ｖ３は三方切換え弁である必要はない。
【００４７】
一方、図１４は筒状セラミックフィルターの洗浄時の説明図（矢印Ｂの方向は洗浄水が付着物を除去する流れを示す）。図１４の流れについて簡単に説明すると、洗浄時、第１三方切換え弁ＶＩ及び第２三方切換え弁Ｖ２がそれぞれ切り替わり、これにより、洗浄水ｃの進路変更が決まる。すなわち、洗浄水導入ラインＬ３からの高圧の洗浄水ｃは、垂直配管３５の下端部側から第１三方切換え弁ＶＩを経由してその上端部側の第２三方切換え弁Ｖ２に至る。そして、高圧の洗浄水ｃは、三方切換え弁Ｖ２を経由して左側に向かうので、洗浄ルート配管３８を経由し、かつ、継手１６、１６を介して２個の縦型ケーシング１Ａ、１Ａのパイプ状芯部材５に流れ込む。この時、排出管３６側の第２三方切換え弁Ｖ２は開放状態となる。なお、弁機構を構成する第１乃至第３の開閉弁ＶＩ、Ｖ２及びＶ３の流路の開閉或いは流路の開閉方向は制御部３２によって制御される。
【００４８】
最後に、図１５至図１８は本発明の第３実施形態の濾過装置Ｘ２を示す各説明図である。この第３実施形態が第１実施形態と主に異なる点は、次の通りである。
【００４９】
（イ）図１７で記すように、蓋体３Ｂを開閉可能にしたことである。第１実施形態の蓋体３は、ケース本体２から取り外し可能であるが、この第３実施形態の蓋体３Ｂは、図１６で示すように蓋体側の軸受け４１、本体側の軸受け４２及び枢軸４３を介してケーシング１Ｂのケース本体２Ｂのフランジ部２ｃに対して開閉自在に取り付けられている。
【００５０】
（ロ）また蓋体３Ｂを開閉する際、パイプ状芯部材５Ｂの小径上端部５ｃが邪魔にならないように蓋体３Ｂの中央部の開口径をやや大きめに形成すると共に、前記小径上端部５ｃの突出量を短くし、例えばその先を蓋体３Ｂの上壁と略同一になるようにしている。
【００５１】
（ハ）さらに、継手１６Ｂの下端面の略中央部に下向きの短筒状嵌合部４５を突設し、この短筒状嵌合部４５を蓋体３Ｂの中央部の開口及び上方の第３シール部材１４の中央孔に差し込んだ状態でパイプ状芯部材５Ｂの小径上端部５ｃに外嵌合している。
【００５２】
上記構成に於いては、図１８で示すように、まず、継手１６Ｂをから取り外し、次に固着具４を取り外した後に蓋体３Ｂを開け、そして、パイプ状芯部材５Ｂ及び筒状セラミックフィルター６をケース本体２Ｂから適宜に引き出すことができる。この第３実施形態は、構造がやや複雑になるものの、このように構成しても、本発明の主たる課題を達成することができる。
【産業上の利用可能性】
【００５３】
本発明は、例えば放射能を除去する、又は飲料水を製造する濾過技術の分野で利用することができる。
【符号の説明】
【００５４】
Ｘ、Ｘ１、Ｘ２…濾過装置、          
１、１Ａ、１Ｂ…ケーシング、
Ｓ…原水流入空間、
２、２Ｂ…ケース本体、２ａ…胴部、２ｂ…底部、２ｃ…フランジ部、
３、３Ｂ…蓋体、３ａ…胴部、３ｂ…フランジ部、１１…蓋体側の嵌合部
４…固着具、
５、５Ｂ…パイプ状芯部材、
５ａ…大径部、５ｂ…小径下端部、５ｃ…小径上端部、
６…筒状セラミックフィルター、
６ａ…下方の環状支持板、
６ｂ…上方の環状支持板、
６ｃ…フィルター本体、
７…第１突起部、８…第２突起部、
９…本体側の嵌合部、９ａメネジ、
１０…栓、
１１…短筒状の嵌合部、
１２…第１シール部材、１３…第２シール部材、１４…第３シール部材、
１５…多数の小孔、
１６…継手、
１８…係合部、
２１…走行車輪、
２２…架台、
２３…支持部材、
３１…駆動部、
３２…制御部、
３３…電源部、
３４…駆動ポンプの継手、
３５…垂直配管、
３６…水平排水管、
３７…濾過ルート配管、
３８…洗浄ルート配管、
４１…蓋体側の軸受け、
４２…本体側の軸受け、
４３…枢軸、
４５…継手の短筒状嵌合部。
【図１】
2020146620.tif 000003
【図２】
2020146620.tif 000004
【図３】
2020146620.tif 000005
【図４】
2020146620.tif 000006
【図５】
2020146620.tif 000007
【図６】
2020146620.tif 000008
【図７】
2020146620.tif 000009
【図８】
2020146620.tif 000010
【図９】
2020146620.tif 000011
【図１０】
2020146620.tif 000012
【図１１】
2020146620.tif 000013
【図１２】
2020146620.tif 000014
【図１３】
2020146620.tif 000015
【図１４】
2020146620.tif 000016
【図１５】
2020146620.tif 000017
【図１６】
2020146620.tif 000018
【図１７】
2020146620.tif 000019
【図１８】
2020146620.tif 000020